(57)【特許請求の範囲】
【請求項１】
一方向に離間した位置関係を有して配置され、光線を射出する複数の光源、前記光源から射出されたそれぞれの光線を平行に変換する光源毎のコリメータレンズ、前記各コリメータレンズを通過した光線を合成する光路合成手段、及び合成された光線を集光させる所定の焦点距離を有するシリンドリカルレンズからなる光源光学系と、前記焦点距離に対応する位置の近傍に反射面を有し、入射される各光線を前記一方向と直交する方向に偏向する偏向器と、偏向された各光線を分離する光路分離手段とを備え、分離された各光線を被走査面に導くタンデム型走査光学系において、
前記シリンドリカルレンズは、前記光源側に凸面を有する平凸レンズであり、その光軸は、前記光路合成手段からの入射光線に対して所定角度だけ傾斜されてなることを特徴とするタンデム型走査光学系。
【請求項２】
シリンドリカルレンズは、１個であることを特徴とする請求項１記載のタンデム型走査光学系。
【請求項３】
光源光学系は、２組に分割されてなり、各組は少なくとも複数の光源を有し、各組のシリンドリカルレンズの光軸は、対応する組における光路合成手段からの入射光線に対して所定角度だけ傾斜されてなることを特徴とする請求項１記載のタンデム型走査光学系。
【請求項４】
傾斜角度θｚは、θｚ＞α、Ｌ＞Ｆ／２を満たすものであることを特徴する請求項１〜３のいずれかに記載のタンデム型走査光学系。
但し、
θｚ：前記一方向と直交する方向の軸周りにおける回転角度
α：前記一方向に配置された複数の光源のうち、外側に配置された光源の一方から射出され、前記シリンドリカルレンズを通過した光線の前記一方向に対する出射角度
Ｌ：光源及びコリメータレンズの一方の近傍に配置されたアパーチャーからシリンドリカルレンズまでの光軸方向距離
Ｆ：シリンドリカルレンズの焦点距離
【請求項５】
傾斜角度θｙは、ｔａｎ（２・θｙ）＞Ｄ／Ｌを満たすものであることを特徴する請求項１〜３のいずれかに記載のタンデム型走査光学系。
但し、
θｙ：前記一方向の軸周りにおける回転角度
Ｌ：光源及びコリメータレンズの一方の近傍に配置された、所定形状の開口を有するアパーチャーからシリンドリカルレンズまでの光軸方向距離
Ｄ：アパーチャーの前記一方向に直交する方向の開口寸法
【発明の詳細な説明】
【技術分野】
【０００１】
本発明は、複数の光源から射出された各光線を光路合成し、偏向走査した後に光路分離して各感光体等の被走査面に導くタンデム型走査光学系に関する。
【背景技術】
【０００２】
従来、タンデム型走査光学系の光源光学系は、大別して３種類が知られている。タイプＡは、コリメータレンズ毎にシリンドリカルレンズを配置し、シリンドリカルレンズと偏向器との間で光路合成を行うものである。タイプＢは、シリンドリカルレンズが１個で、シリンドリカルレンズとコリメータレンズとの間で光路合成を行うものである。タイプＣは、シリンドリカルレンズと光路合成手段の両方の機能を有する階段状シリンダミラーを使用するものである。これらの構成において、シリンドリカルレンズと光路合成手段とによって発生するゴースト光（他の光源の光路に入り込む光）について考えると、タイプＣでは、透過面がないためゴースト光は発生しない。また、タイプＡはシリンドリカルレンズの内面で反射した光束が元の光源に戻った後、被走査面に向かう可能性はあるが、本来の光路から外れないのでゴースト光にはなりにくい。但し、タイプＡにおいて、光路合成手段として、ビームスプリッタを使用した場合には、入射面と射出面のどちらでもない面からもビームの一部が射出し、ゴースト光となる場合があり、これを防ぐ手段として、特許文献１のように、ゴースト光が射出される面の近傍に余剰光処理部材を配置することが提案されている。
【０００３】
また、タイプＢの場合、複数のビームはシリンドリカルレンズの光軸に対して、異なる高さ（副走査方向）を持って入射するため、シリンドリカルレンズの内面で反射したビームは、副走査方向に角度を持つ。その結果、元の光源とは別の光源に向かった後、その別光源で反射され、その別光源に対応した被走査面に導かれてゴースト光となる可能性がある。また、特許文献２には、タイプＢにおいて、シリンドリカルレンズの後ろの凸面で反射し、さらに前の平面で再反射して偏向器に向かう迷光を、シリンドリカルレンズの前の平面を傾斜面とすることで光路から分離するものが提案されている。
【特許文献１】特開２００５−３０１２５２号公報
【特許文献２】特許第４０２７６３０号公報
【発明の開示】
【発明が解決しようとする課題】
【０００４】
これらのタンデム型走査光学系では、偏向器と被走査面との間で光路を分離することが必要である。光路分離位置を調整するために、タイプＢの構成では、光路合成手段とシリンドリカルレンズとの間に折り返しミラーを配置し、折り返しミラーを副走査方向に直交する主走査方向の軸（Ｙ軸）周りに回転するものがある。このような場合、折り返しミラーのＹ軸周りの回転によってシリンドリカルレンズへの入射角度が変わるため、内面反射するゴースト光の反射角度も変わってくる。その結果、本来、ゴースト光が他色の被走査面上に混入しないように設計しても、製造誤差が大きく、また折り返しミラーの回転調整量が大きい場合には、他色の被走査面上にゴースト光が発生することがある。また、複数の光源のうち、シリンドリカルレンズの光軸からの光路高さが大きいもの、すなわち外側の光源は偏向器への副走査方向の斜入射角が大きいので、内面反射後のゴースト光も斜入射角度がより大きくなって光学素子の有効域外に外れやすく、被走査面に届かない。逆に、複数の光源のうち、シリンドリカルレンズの光軸からの光路高さが小さいもの、すなわち内側の光源は偏向器への副走査方向の斜入射角度が小さいので、内面反射後のゴースト光も角度も小さいため他の光源に向かいやすく、他色の被走査面上でゴースト光になりやすい。
【０００５】
また、特許文献２は、シリンドリカルレンズの内面で反射し、光源側に戻るゴースト光への対策ではない。
【０００６】
本発明は上記に鑑みてなされたもので、シリンドリカルレンズの内面で生じる反射光を効果的に光路外へ導出することで、ゴースト光の他色の被走査面への混入を防止するタンデム型走査光学系を提供することを目的とするものである。
【課題を解決するための手段】
【０００７】
請求項１記載の発明は、一方向に離間した位置関係を有して配置され、光線を射出する複数の光源、前記光源から射出されたそれぞれの光線を平行に変換する光源毎のコリメータレンズ、前記各コリメータレンズを通過した光線を合成する光路合成手段、及び合成された光線を集光させる所定の焦点距離を有するシリンドリカルレンズからなる光源光学系と、前記焦点距離に対応する位置の近傍に反射面を有し、入射される各光線を前記一方向と直交する方向に偏向する偏向器と、偏向された各光線を分離する光路分離手段とを備え、分離された各光線を被走査面に導くタンデム型走査光学系において、前記シリンドリカルレンズは、前記光源側に凸面を有する平凸レンズであり、その光軸は、前記光路合成手段からの入射光線に対して所定角度だけ傾斜されてなることを特徴とするものである。
【０００８】
請求項２記載の発明は、請求項１記載のタンデム型走査光学系において、シリンドリカルレンズは、１個であることを特徴とする。
【０００９】
これらの構成によれば、複数の光源から射出された各光線は、光路合成手段で合成された後、シリンドリカルレンズを経て偏向器に向かわされる。一方、シリンドリカルレンズに入射した光の一部は前面である凸面や後面である平面で内面反射され、光源側に向かう。このとき、前面である凸面で反射した光は、そのまま光路外へ向かうので、無視できる。また、後面である平面で内面反射した光は、シリンドリカルレンズの光軸が光路合成手段からの入射光線に対して所定角度だけ傾斜されているため、アパーチャーの外側に向けられ、すなわち光路外に向けられるため、ゴースト光となることが防止される。反射光の向きとしては、前記した一方向、又はこの一方向に直交する方向、あるいは双方が可能である。
【００１０】
請求項３記載の発明は、請求項１記載のタンデム型走査光学系において、光源光学系は、２組に分割されてなり、各組は少なくとも複数の光源を有し、各組のシリンドリカルレンズの光軸は、対応する組における光路合成手段からの入射光線に対して所定角度だけ傾斜されてなることを特徴とする。この構成によれば、いわゆる両側偏向タイプにも同様に適用可能となる。
【００１１】
請求項４記載の発明は、請求項１〜３のいずれかに記載のタンデム型走査光学系において、傾斜角度θｚは、θｚ＞α、Ｌ＞Ｆ／２を満たすものであることを特徴する。但し、    θｚ：前記一方向と直交する方向の軸周りにおける回転角度、α：前記一方向に配置された複数の光源のうち、外側に配置された光源の一方から射出され、前記シリンドリカルレンズを通過した光線の前記一方向に対する出射角度、Ｌ：光源及びコリメータレンズの一方の近傍に配置されたアパーチャーからシリンドリカルレンズまでの光軸方向距離、Ｆ：シリンドリカルレンズの焦点距離である。この構成によれば、反射光を一方向の光路外に確実に向けることができる。
【００１２】
請求項５記載の発明は、請求項１〜３のいずれかに記載のタンデム型走査光学系において、傾斜角度θｙは、ｔａｎ（２・θｙ）＞Ｄ／Ｌを満たすものであることを特徴する。但し、θｙ：前記一方向の軸周りにおける回転角度、Ｌ：光源及びコリメータレンズの一方の近傍に配置された、所定形状の開口を有するアパーチャーからシリンドリカルレンズまでの光軸方向距離、Ｄ：アパーチャーの前記一方向に直交する方向の開口寸法。この構成によれば、この構成によれば、反射光を、一方向と直交する方向の光路外に確実に向けることができる。
【発明の効果】
【００１３】
本発明によれば、シリンドリカルレンズの光軸を光路合成手段からの入射光線に対して所定角度だけ傾斜させたため、反射光をアパーチャーの外側に、すなわち光路外に向け得て、ゴースト光となることを防止できる。また、反射光を光路外へ導く向きとしては、シリンドリカルレンズの光軸に所要の傾斜を設定することで、前記した一方向、又はこの一方向に直交する方向、あるいは双方が可能となる。
【発明を実施するための最良の形態】
【００１４】
図１は、本発明に係るタンデム型走査光学系の第１の実施形態を示す部分斜視図であり、図２は、図１の光学要素を抽出した斜視図であり、図３は、偏向器から下流側の光学系の側面図である。
【００１５】
図１は、タンデム型走査光学系１００を収納した筐体１００ａの内部を示すもので、上部の蓋が省略されている。筐体１００ａ内には、本実施形態では４個の発光ダイオードからなる光源１が配設されている。光源１は、トナー色に対応したイエロー（Ｙ）、マゼンタ（Ｍ）、シアン（Ｃ）及びブラック（Ｋ）用の静電潜像を対応する感光体１４（図３参照）上に描画するために用いられる。
【００１６】
タンデム型走査光学系１００は、主にカラー画像形成装置の露光部として適用される。タンデム型のカラー画像形成装置は公知であり、カラーを表現する、主に４色分の感光体１４を備えている。タンデム型走査光学系の４個の光源１は各色の画像データで変調され、変調された光線が走査されつつ、対応する感光体１４の表面（被走査面１３）に導かれ、かつ感光体１４が定速回転されていることで、各色の静電潜像が形成される。そして、各色の静電潜像に、対応する色のトナーが付着され、さらに１枚の記録紙に重ね合わせて転写されることで、カラー画像としてプリントアウトされる。
【００１７】
なお、便宜上、感光体１４への光線の走査方向を主走査方向といい、感光体１４の回転方向を副走査方向という。図において、Ｘ軸は光源の光路方向を示し、Ｙ軸は主走査方向を示し、Ｚ軸は副走査方向を示している。また、各部材の説明において、特に４個のいずれかを特定する必要がある場合には、ｙ、ｍ、ｃ、ｋの文字を添える。
【００１８】
コリメータレンズ２は、各光源１の射出面に対向して配置され、光源１からの発散光を集光してほぼ平行に変換するレンズである。アパーチャー３は、コリメータレンズ２の近傍、ここでは射出面に配置されている。アパーチャー３は、所定形状、例えば楕円形状の開口（絞り）を有する。光源１からの光線はコリメータレンズ２を経て、アパーチャー３の開口を通過する。
【００１９】
光源１及びコリメータレンズ２は、この実施形態では略環状に配置され、その中央に光路合成手段４が配置されている。各コリメータレンズ２の光軸は、本実施例では、１つを除いて光路合成手段４に向けられている。光路合成手段４は、Ｚ軸方向に３個のミラーを有する。光路合成手段４を構成する３個のミラーは、前記１つを除いたコリメータレンズ２からの３つ光線を、この１つを除いた光線と平行になるように反射させるべく、コリメータレンズ２の各光軸の方向との関係で向きが設定されている。
【００２０】
なお、光源１ｙ、１ｍ、１ｃ、１ｋは、Ｚ軸方向に対して順次異なる高さ位置に配置されている。ここでは、４個の光源１は、Ｚ軸方向、すなわち図２の高さ方向の上から、イエロー（Ｙ）、マゼンタ（Ｍ）、シアン（Ｃ）及びブラック（Ｋ）に対応する順で、所定の微少間隔を置いて配列されている。従って、光路合成手段４で合成された４本の光線は、主走査（Ｙ軸）方向では一致している一方、副走査（Ｚ軸）方向には所定の微少ピッチずつ異なっている。
【００２１】
シリンドリカルレンズ５は、光路合成手段４で反射された各光線を、後述する偏向器７の反射面の位置（乃至はその近傍）で結像させるものである。折り返しミラー６は、シリンドリカルレンズ５の光軸方向下流に配置されており、シリンドリカルレンズ５を透過した各光線を偏向器７の反射面に入射するように向けられている。光源１から折り返しミラー６までで光源光学系が構成されている。
【００２２】
偏向器７は、円筒状を有し、その周囲に複数個の反射面が形成された、代表的にはポリゴンミラーである。偏向器７は、図略のモータ等で軸中心に定速回転させられ、反射面に入射された各光線を所定の角速度で主走査（Ｙ軸）方向に偏向するものである。入射光線に対する偏向は、偏向器７の回転に伴い、各反射面で順次繰り返し行われる。走査レンズ８，１１は、いわゆるｆθレンズとして機能するもので、偏向器７で偏向された光線を平面である被走査面１３上で一定速度で走査させるためのものである。光路分離ミラー９は、４本の光線を各光線に分離するもので、分離された各光線は、対応する折り返しミラー１０、走査レンズ１１、防塵用ガラス１２を経て、予め設定されている位置の被走査面１３に導かれる。各光線は副走査方向に微少寸法だけ離間しているので、光路分離ミラー９ｙ、９ｍ、９ｃによる光線分離は、この離間寸法を利用して行われている。なお、ブラック（Ｋ）については、前の３色から光路分離されているので、光路分離ミラーは不要である。
【００２３】
次に、図４〜図６を用いて、本発明の特徴部分について説明する。図４、図５は対比用であり、図４は従来の光源光学系のＸＺ平面上の展開図、図５は従来の他の光源光学系のＸＺ平面上の展開図である。図６は、本発明に係る光源光学系のＸＺ平面上の展開図である。
【００２４】
まず、図４において、便宜上、４個の光源１のうち、Ｚ軸（副走査）方向で内側にある２個の光源１ｍ、１ｃについて示している。シリンドリカルレンズ５と折り返しミラー６は、図１〜図３に示す構成と逆に配置されている。また、折り返しミラー６は、図４中、矢印で示すようにＹ軸周りに回転可能にされており、光路分離ミラー９への光線入射位置を調整可能にして、各光線の分離を容易にしている。折り返しミラー６のＹ軸周りでの回転量を調整すると、シリンドリカルレンズ５への入射角度が変わる。そのため、折り返しミラー６の回転量によっては、シリンドリカルレンズ５の内面で反射した後のシアン（Ｃ）の光線が、図４中、破線で示すようにコリメータレンズ２ｍに入射し、さらに、光源１ｍの光線射出部のガラス表面で反射して、ほぼマゼンタ（Ｍ）の光路をたどる可能性がある。その結果、シアン（Ｃ）の光の一部は、被走査面１３ｍに混入してゴースト光となる。
【００２５】
次に、図５には、コリメータレンズ２から偏向器７までの光線の光路と、シリンドリカルレンズ５の内面で反射したゴースト光の光路とが、それぞれ矢印を用いて示されている。Ｚ軸方向における外側の光源１ｙ、１ｋは、それぞれシリンドリカルレンズ５の偏向器７近傍の焦点Ｐ１から、Ｚ軸方向に対して、距離Ｈａだけ離間している。光源１ｙ、１ｋからの各光線は、シリンドリカルレンズ５を通過した後、偏向器７に、その縦断面から見た斜入射角がαとなるように射出され、焦点Ｐ１に集光する。なお、斜入射角αは、シリンドリカルレンズ５の焦点距離Ｆと距離Ｈａとを用いて、Ｈａ＝Ｆ・ｔａｎαとして表される。
【００２６】
一方、シリンドリカルレンズ５の平面側で反射、すなわち内面反射した光線は、シリンドリカルレンズ５の凸面を２度通過することになるため、Ｚ軸方向には焦点Ｐ１と同一高さ位置で、光路方向にはシリンドリカルレンズ５から光源１側に、距離Ｆ／２となる位置Ｐ２（焦点）を通る。そうすると、図５に示すように、反射光は、焦点位置Ｐ２を通過して集光された後に発散することで、他の光源１のアパーチャー３内にゴースト光として到達することがある。
【００２７】
図６は、図５に対して、シリンドリカルレンズ５をＹ軸周りにθｚだけ回転させたものである。すなわち、回転角度θｚによって、Ｚ軸方向で外側になる２個の光源１ｙ、１ｋの一方、ここではイエロー（Ｙ）のゴースト光が、光源１ｙに対応するアパーチャー３ｙよりも、図６に示すように、外側（高い側）に戻るようにしている。この構成では、ゴースト光の焦点の位置Ｐ２’は、光路方向の位置Ｐ２とほぼ同じであるが、Ｚ軸方向の位置は、位置Ｐ２から距離Ｈａ以上外側に離れた位置に変更されている。従って、イエロー（Ｙ）以外の光源１ｍ、１ｃ、１ｋからのゴースト光は、位置Ｐ２’より、光路方向の光源側において、さらにＺ軸方向の外側（高い方向）に向かうこととなる。
【００２８】
そこで、ゴースト光が、上記のように距離Ｈａ以上外側となるＺ軸方向に戻るためのシリンドリカルレンズ５の回転角度θｚを求める。図５において、ゴースト光のＺ軸に対する角度α’は、Ｈａ＝（Ｆ／２）・ｔａｎα’を満たす。従って、２・ｔａｎα＝ｔａｎα’となるが、角度αの値は、数度程度と小さいので、α’＝２αと近似できる。そして、角度α’でゴースト光を元の光源１側より外側に帰来させるためには、シリンドリカルレンズ５をＹ軸周りに回転させたことによるゴースト光の角度変化量をβとするとき、β＞α’を満足すればよい。シリンドリカルレンズ５のＹ軸周りの回転量θｚは、β＝２・θｚであるので、結局、2θｚ＞２α、すなわち、θｚ＞αとなる。具体例として例えば、Ｆ＝１００ｍｍ、Ｈａ＝６ｍｍの場合、α＝３．４３°となり、θｚ＞３．４３°であればよい。
【００２９】
なお、アパーチャー３ｙの光路方向の位置は、位置Ｐ２より光源１側になるように配置されており、他の光源１ｍ、１ｃ、１ｋからのゴースト光がアパーチャー３ｙ内に入る可能性をなくしている。但し、他の光源１ｍ、１ｃ、１ｋのアパーチャー３ｍ、３ｃ、３ｋの位置は、位置Ｐ２よりシリンドリカルレンズ５側にあっても、アパーチャー３ｍ、３ｃ、３ｋ内にゴースト光が入る可能性は低く、また、仮に一部が入ったとしても、ゴースト光のＺ軸方向の角度が大きいため、被走査面１３上に到達するまでに光路から外れ、ゴースト光になる可能性は低い。
【００３０】
次に、図７は、本発明に係るタンデム型走査光学系の第２の実施形態を示す平面図である。第２の実施形態では、第１の実施形態と異なり、光路合成手段４が光線毎に離間して配置されている。このような構成でも、第１の実施形態と同様、シリンドリカルレンズ５をＹ軸周りに回転させて、ゴースト光をアパーチャー３内に戻らないようにすることができる。
【００３１】
この第２の実施形態では、シリンドリカルレンズ５をＺ軸周りに回転させる構造が設けられている。Ｚ軸周りにシリンドリカルレンズ５を回転させて、ゴースト光をアパーチャー３の主走査方向外側にずらすことで、光源からのゴースト光が、他の光源に入った後、その光源に対応する被走査面１３上でゴースト光になるのを防いでいる。
【００３２】
図８は、この第２の実施形態のＸＹ平面での展開図である。４個の光源からの光線は、Ｚ軸方向に離間しているが、一点鎖線で示す（図７も同じ）ように、Ｙ軸方向には全て重なっている。また、シリンドリカルレンズ５は、図７，図８に見られるように、Ｙ軸方向にはパワー（屈折力）を持たない形状を有するものであるため、ゴースト光の光束幅は、アパーチャー３の開口のＹ軸方向の寸法と同一である。図８において、シリンドリカルレンズ５からコリメータレンズ２側に反射した矢印で示す反射光のように、シリンドリカルレンズ５に最も近いアパーチャー３ｋにゴースト光が入らないように、シリンドリカルレンズ５の回転量を設定すれば、他の光源１ｙ、１ｍ、１ｃのアパーチャー３ｙ、３ｍ、３ｃにも、ゴースト光が入ることはない。シリンドリカルレンズ５のＺ軸周りの回転量θｙに対して、ゴースト光の射出角は２・θｙとなる。従って、複数の光源１のうち、アパーチャー３とシリンドリカルレンズ５の光路方向の距離の最小値Ｌ（図７、図８では、アパーチャー３ｋからシリンドリカルレンズ５までの距離）とすると、ｔａｎ（２・θｙ）＞Ｄ／Ｆであればよい。
【００３３】
なお、第１、第２の実施形態において、θｚ、θｙが大きくなると、θｚ＝θｙ＝０の場合の偏向器７近傍の焦点Ｐ１と、θｚ、θｙが大きい場合の偏向器７近傍の焦点Ｐ１との間にずれを発生し、そのままでは、被走査面１３上での結像性能に差が生じるという問題がある。このような場合は、偏向器７近傍の焦点Ｐ１がずれないように、シリンドリカルレンズ５より光源１側にある任意の部材の配置を光路方向に適宜シフトさせるなどすればよい。
【００３４】
図９は、本発明に係るタンデム型走査光学系の第３の実施形態を示す平面図である。図１０は、図９の側面図である。第３の実施形態に示すタンデム型走査光学系は、両側偏向タイプである。すなわち、光源光学系が２組に分割されて左右に配置され、それぞれは、ほぼ同一構成を有している。各組は、２個の光源１と、各光源１に対応するコリメータレンズ２及びアパーチャー３とを有し、その下流側に光路合成手段４、シリンドリカルレンズ５を有する構成である。この実施形態では、折り返しミラー６は必須とはされていない。
【００３５】
各組のシリンドリカルレンズ５を通過した光線は、偏向器７の異なる２つの反射面に対称的に入射されている。偏向器７で偏向された光線は、各組の光線を偏向する反射面に対向して設けられた、走査レンズ８、光路分離ミラー９、折り返しミラー１０、走査レンズ１１からなる各組の光学部材を経て、予め設定されている被走査面１３に導かれる。
【００３６】
各組のシリンドリカルレンズ５は、第２の実施形態と同様、Ｚ軸周りに所定角度だけ回転させられており、これによって対応する組で発生する反射光（図９において、各組のシリンドリカルレンズ５から、同組の光路合成手段４側へ向けて反射した矢印で示す反射光）が、同組の自己及び他のアパーチャー３内に入らないようにされて、ゴースト光とならないようにされている。また、第３の実施形態では、第１、第２の実施形態の片側偏向タイプに比して、１個のシリンドリカルレンズ５に入射する光線の数が少ないので、Ｚ軸方向に配置される光源１の間隔を狭くすることができる。従って、シリンドリカルレンズ５をＹ軸周りに回転させる角度も、片側偏向タイプより小さい角度で済み、シリンドリカルレンズ５の回転構成も簡易、容易となる。
【００３７】
なお、本発明は、シリンドリカルレンズ５を回転させる機構を採用してもよく、あるいは、角度調整された状態で固定部材を介して筐体等に固定配置される態様であってもよい。前者の場合、後の再調整が容易となる利点がある。
【図面の簡単な説明】
【００３８】
【図１】本発明に係るタンデム型走査光学系の第１の実施形態を示す部分斜視図である。
【図２】図１の光学要素を抽出した斜視図である。
【図３】偏向器から下流側の光学系の側面図である。
【図４】従来の光源光学系のＸＺ平面上の展開図である。
【図５】従来の他の光源光学系のＸＺ平面上の展開図である。
【図６】本発明に係る光源光学系のＸＺ平面上の展開図である。
【図７】本発明に係るタンデム型走査光学系の第２の実施形態を示す平面図である。
【図８】第２の実施形態のＸＹ平面での展開図である。
【図９】本発明に係るタンデム型走査光学系の第３の実施形態を示す平面図である。
【図１０】図９の側面図である。
【符号の説明】
【００３９】
１  光源
２  コリメータレンズ
３  アパーチャー
４  光路合成手段
５  シリンドリカルレンズ
７  偏向器
１３  被走査面
【図１】
0005115351.tif 000002
【図２】
0005115351.tif 000003
【図３】
0005115351.tif 000004
【図４】
0005115351.tif 000005
【図５】
0005115351.tif 000006
【図６】
0005115351.tif 000007
【図７】
0005115351.tif 000008
【図８】
0005115351.tif 000009
【図９】
0005115351.tif 000010
【図１０】
0005115351.tif 000011